(57)【特許請求の範囲】
【請求項１】
強化装置１を備えたシューソールの構造であって、  接地面４０とその反対側の上面４１とを有するアウトソール４と、前記アウトソール４の前記上面４１に付着する下面３Ｓを有するミッドソール３と、前記ミッドソール３の下面３Ｓに付着し前記ミッドソール３およびアウトソール４よりも硬質の強化装置１とを備え、前記ミッドソール３は前足部３Ｆ、中足部３０および後足部３Ｒを有すると共に、内足縁部３Ｍと外足縁部３Ｌと前記内足縁部３Ｍと外足縁部３Ｌとの間の中央部３Ｃとを有し、前記強化装置１は前記中足部３０において前記内足縁部３Ｍから外足縁部３Ｌにわたって配置され、前記強化装置１は前記中足部３０の前記内足縁部３Ｍにおいて前後方向Ｙに延びる第１縦部２１と、互いに並行状の第１バー１１および第２バー１２とを継目なく一体に有し、前記第１バー１１は前記第１縦部２１の後端部２１Ｒから斜め前方Ｙ１の外足側Ｌに向って前記中央部３Ｃを斜めに横断し前記外足縁部３Ｌまで延び、前記第２バー１２は前記第１バーから離間して配置され、前記第１縦部２１の前記後端部２１Ｒよりも前方Ｙ１の位置から斜め前方の外足側Ｌに向って前記中央部３Ｃを斜めに横断し前記外足縁部３Ｌまで延びる。
【請求項２】
請求項１において、前記強化装置１は前記中足部３０の前記外足縁部３Ｌにおいて前後方向Ｙに延びる第２縦部２２を前記第１バー１１に対し継目なく一体に有し、  前記第１バー１１は前記第１縦部２１の前記後端部２１Ｒと前記第２縦部２２の前端部２２Ｆとを連結して、前記第１縦部２１の前記後端部２１Ｒから前記第２縦部２２の前記前端部２２Ｆまで斜め前方Ｙ１の外足側Ｌに向って延び、  前記第２バーは前記第１バー１１の前方Ｙ１に配置されている。
【請求項３】
請求項１もしくは２において、前記強化装置１は第３バー１３を前記第１縦部２１に対し継目なく一体に有し、  前記第３バー１３は前記第１バー１１と前記第２バー１２との間に配置され、  前記第３バー１３は前記第１および第２バー１１、１２から前後方向Ｙに離間し、前記第１縦部２１から斜め前方Ｙ１の外足側Ｌに向って前記中央部３Ｃを斜めに横断し前記外足縁部３Ｌまで延びる。
【請求項４】
請求項３において、前記第１バー１１の前縁１１ｆと前記第３バー１３の後縁１３ｒとは前記強化装置１の第１切欠Ｎ１を規定し、前記第１切欠Ｎ１において、前記ミッドソール３の前記下面３Ｓが露出し、前記第２バー１２の後縁１２ｒと前記第３バー１３の前縁１１ｆとは前記強化装置１の第２切欠Ｎ２を規定し、前記第２切欠Ｎ２において、前記ミッドソール３の前記下面３Ｓが露出する。
【請求項５】
請求項４において、前記第１および第２切欠Ｎ１，Ｎ２は、それぞれ、前記中央部３Ｃの少なくとも過半において斜めに延び、更に、前記中央部３Ｃから前記外足縁部３Ｌまで斜め前方に向って延びている。
【請求項６】
請求項５において、前記第１および第２切欠Ｎ１，Ｎ２は帯状に形成され、かつ、互いに並行状に設けられている。
【請求項７】
請求項４において、前記各バーの前記中央部３Ｃにおける幅の総和が前記各切欠の前記中央部３Ｃにおける幅の総和よりも大きい。
【請求項８】
請求項４において、前記各バーの前記中央部３Ｃにおける幅の平均値は前記各切欠の前記中央部３Ｃにおける幅の平均値よりも大きい。
【請求項９】
請求項３において、前記ミッドソール３は前記下面３Ｓの反対側の上面３１を有し、  前記第３バー１３は前記ミッドソール３の前記上面３１に向って凸のアーチ状に形成されている。
【請求項１０】
請求項１〜９のいずれか１項において、前記強化装置１は、  前記各バーの先端部Ｅ、前記第１縦部２１の前端部２１Ｆおよび前記第１縦部２１の後端部２１Ｒが前記ミッドソール３と前記アウトソール４とに挟まれた薄肉部１７と、  前記ミッドソール３の前記下面３Ｓにおいて露出し前記薄肉部１７よりも厚い厚肉部１８とを備える。
【請求項１１】
請求項１０において、前記厚肉部１８には、前記各バーごとに前記各バーが延びる方向に沿って延びる凸条Ｔまたは溝Ｇを有する。
【請求項１２】
請求項２において、前記第２バー１２の先端部Ｅは第１および第２縦部２１，２２から離間した自由端部である。
【請求項１３】
請求項１において、前記アウトソール４は前足から後足まで連なっていると共に、前記ミッドソール３の中足部３０において切欠かれた切欠部Ｎを有し、  前記切欠部Ｎにおいて前記第１縦部２１、第１バーおよび第２バー１１，１２の各々の少なくとも一部が露出している。
【請求項１４】
請求項２において、前記アウトソール４は前足パート４Ｆと後足パート４Ｒに前後に互いに離間して分かれており、  前記アウトソール４の前記前足パート４Ｆと後足パート４Ｒとの間において、前記第１縦部２１、第２縦部２２、前記第１バーおよび第２バー１１，１２の各々の少なくとも一部が露出している。
【請求項１５】
請求項１において、前記第１縦部２１の前端部２１Ｆと前記第２バー１２とはＶ字状に連なっており、  前記第２バー１２の先端部Ｅは前記第１縦部２１の前記前端部２１Ｆよりも前方Ｙ１に配置されている。
【発明の詳細な説明】
【技術分野】
【０００１】  本発明は強化装置を備えたシューソールの構造に関する。
【背景技術】
【０００２】  一般に、強化装置はソールの背屈時の曲げ剛性を高め、前方への蹴り出し力やジャンプ力の向上に寄与する。強化装置としては種々の構造が公知である。
【先行技術文献】
【特許文献】
【０００３】
【特許文献１】ＪＰ２００７−２６８０８７  Ａ（フロントページ）
【特許文献２】ＷＯ２００５／０３７００２  Ａ１（図８）
【特許文献３】ＪＰ２０１５−２０４９８４  Ａ
【特許文献４】ＵＳ８，１４６，２７３  Ｂ２（ＦＩＧ．４）
【特許文献５】ＪＰ３，２５８，６２５  Ｂ１（図４，図５）
【発明の概要】
【０００４】球技などのスポーツにおいては、走速度よりも加減速や方向転換を制御する能力が求められる。これらの能力は例えば動作後に急激に反対方向に移動するカッティング動作時などの機敏さ（Agility）として発揮される。
【０００５】したがって、本発明の目的は前記機敏さを強化装置により高めることのできるシューソールの構造を提供することである。
【０００６】発明の原理以下、本発明の構成の説明に先立って本発明の原理について説明する。
【０００７】図１８（ｂ）は前記走行時等に生じる背屈の変形を模式的に示すソールを上方の内側から見た斜視図である。この図の矢印Ａｓ１で示すように、ソールの背屈時には背屈の中心軸Ｓ１のまわりにソールの後足部３Ｒが前足部３Ｆに対し屈曲する。すなわち、走行動作などにおいて生じる背屈時には、ソールの横断方向に延びる前記中心軸Ｓ１を中心にソールが屈曲する。
【０００８】図１８（ａ）は前記カッティング動作時に生じる内ネジレの変形を模式的に示すソールを上方の内側から見た斜視図である。この図の矢印Ａｓで示すように、ソールの後足部３Ｒは前足部３Ｆに対し、ネジレの中心軸Ｓを中心に回内した状態である。
【０００９】すなわち、図１８（ａ）において、前記中心軸Ｓは後足部３Ｒの外足側Ｌが前足部３Ｆの内足側Ｍに向ってネジレている。ネジレの中心軸Ｓは後足部３Ｒの内足側Ｍから前足部３Ｆの外足側Ｌに向って斜め方向に延びている。
【００１０】以上のように、図１８（ａ）の内ネジレの変形は図１８（ｂ）の背屈時の変形とは大きく異なる。
【００１１】カッティング動作について基礎実験を行ったところ、ソールの内ネジレの増大により、カッティング時のブレーキの力積が増大し、パフォーマンスが向上する傾向があることがわかった。したがって、前記背屈に対する曲げ剛性の増大のみならず、前記ネジレの中心軸Ｓを中心とした内ネジレの剛性の低減を図ることにより、カッティング動作において高い機能発現が期待できると考えられる。
【００１２】本発明は強化装置を備えたシューソールの構造であって、接地面４０とその反対側の上面４１とを有するアウトソール４と、前記アウトソール４の前記上面４１に付着する下面３Ｓを有するミッドソール３と、前記ミッドソール３の下面３Ｓに付着し前記ミッドソール３およびアウトソール４よりも硬質の強化装置１とを備え、前記ミッドソール３は前足部３Ｆ、中足部３０および後足部３Ｒを有すると共に、内足縁部３Ｍと外足縁部３Ｌと前記内足縁部３Ｍと外足縁部３Ｌとの間の中央部３Ｃとを有し、前記強化装置１は前記中足部３０において前記内足縁部３Ｍから外足縁部３Ｌにわたって配置され、前記強化装置１は前記中足部３０の前記内足縁部３Ｍにおいて前後方向Ｙに延びる第１縦部２１と、互いに並行状の第１バー１１および第２バー１２とを継目なく一体に有し、前記第１バー１１は前記第１縦部２１の後端部２１Ｒから斜め前方Ｙ１の外足側Ｌに向って前記中央部３Ｃを斜めに横断し前記外足縁部３Ｌまで延び、前記第２バー１２は前記第１バーから離間して配置され、前記第１縦部２１の前記後端部２１Ｒよりも前方Ｙ１の位置から斜め前方の外足側Ｌに向って前記中央部３Ｃを斜めに横断し前記外足縁部３Ｌまで延びる。
【００１３】本発明において、互いに離間した第１および第２バー１１，１２は、第１縦部２１から斜め前方Ｙ１の外足側Ｌに向って中央部３Ｃを斜めに横断し外足縁部３Ｌまで延びる。すなわち、２本のバー１１，１２はネジレの中心軸Ｓに沿って斜めに延びている。
【００１４】そのため、第１バー１１と第２バー１２との間のミッドソール３の部位は、強化されておらず、変形し易い。したがって、内ネジレの剛性が低下し、ミッドソール３の中足部３０が前記ネジレの中心軸Ｓのまわりに捩じれ易くなるであろう。
【００１５】その結果、内ネジレの増大により、カッティング時等のブレーキの力積が増大し、パフォーマンスの向上が期待できる。
【００１６】一方、バーが斜めに配置されることで、背屈に対するバーによる曲げ剛性が低下することが懸念される。しかし、本発明では前後方向Ｙに互いに離間した２本のバーが設けられていることで、曲げ剛性の低下を抑制し得るだろう。
【００１７】特に、背屈時に大きな曲げ荷重が負荷される中足部３０の内足縁部３Ｍに第１縦部２１が設けられていることで、前記曲げ剛性が然程低下することなく、内ネジレの剛性を低下させることができるであろう。
【００１８】そのため、内ネジレの剛性が低下し、前述の内ネジレの増大によるカッティング時等のブレーキの力積の増大を図り得る。その一方で、曲げ剛性の維持により、ダッシュの際の背屈時の足からソールへの力伝達のロスが小さく、ダッシュ効率の維持を図り得る。その結果、カッティング動作を素早く行うことが期待できる。
【００１９】本発明において、「硬質の」とは、強化装置１がミッドソール３およびアウトソール４よりもヤング率の大きい素材、例えば、非発泡の硬い熱可塑性樹脂で形成されていることを意味し、アウトソール４が強化装置１に含まれないことを意味する。なお、素材のヤング率の大きさは、デュロメータ（硬度計）で測定した値（硬度）を比較することにより比較されてもよい。
【００２０】ミッドソール３の前足部３Ｆ、中足部３０および後足部３Ｒとは、それぞれ、足の前足、中足および後足を覆う部位を意味する。前足は５本の中足骨と１４個の趾骨からなる。前記中足は舟状骨、立方骨および３個の楔状骨からなる。前記後足は距骨および踵骨からなる。
【００２１】「内足縁部３Ｍ、外足縁部３Ｌおよび中央部３Ｃ」とは、それぞれ、ミッドソール３を横断方向に３等分した内足部分、外足部分および内足部分と外足部分との間の部分を意味する。
【００２２】「強化装置１が内足縁部３Ｍから外足縁部３Ｌにわたって配置され」とは、強化装置１が内足縁部３Ｍの少なくとも一部と、外足縁部３Ｌの少なくとも一部との間にわたって配置されていることを意味する。
【００２３】「第１縦部２１が内足縁部３Ｍにおいて前後方向Ｙに延びる」とは、第１縦部２１の内足縁部３Ｍの領域に配置された部位が前後方向Ｙに延びていると共に、第１縦部２１の少なくとも過半が内足縁部３Ｍに配置され中央部３Ｃに配置されていないことを意味する。なお、「前後方向Ｙに延びる」とは、斜め前方Ｙ１を含む。
【００２４】「互いに並行状」とは、幾何学上の完全な平行を含む他、第１バー１１と第２バー１２とが互いに離れ（parallel）ており、かつ、第１バー１１と第２バー１２とが互いに概ね同じ方向、つまり、斜め前方Ｙ１に延びて（並んで）いることを意味する。
【００２５】「継目なく一体」とは、第１縦部２１、第１バー１１と第２バー１２などの強化装置１を構成する部分が単一のパーツで形成されていることを意味する。すなわち、単一のパーツからなる強化装置１が第１縦部２１、第１バー１１と第２バー１２などを有している。
【００２６】「第１縦部２１の後端部２１Ｒ」とは、第１縦部２１を前後方向Ｙに２等分した後端側を意味し、好ましくは、第１縦部２１を前後方向Ｙに３等分した後端側の１/３の部分を意味する。また、「第１縦部２１の後端部２１Ｒから」とは、第１バー１１の後端が前記後端部２１Ｒの少なくとも一部に連接していることを意味する。
【００２７】「バーが外足縁部３Ｌまで延び」とは、各バーが中央部３Ｃを斜めに横断し外足縁部３Ｌの一部まで到達していることを意味し、各バーのうち少なくとも１つのバーがミッドソール３を完全に横断している場合を含む。
【００２８】「離間して配置され」とは、バー同士が第１縦部２１を介してのみ互いに連なっている場合の他、バー同士が一部において、例えば、バーの先端部同士が互いに連なっているが、バー同士の間に切欠きが定義されている場合を含む。
【図面の簡単な説明】
【００２９】
【図１】図１は本発明の実施例１に係るミッドソールおよび強化装置を示す底面図である。
【図２】図２は一部を破断して示す同拡大底面図である。
【図３】図３Ａは同外側面図、図３Ｂは同内側面図である。
【図４】図４は同ミッドソールおよび強化装置を斜め前方の内足側から見た斜視図である。
【図５】図５は同斜め後方の外足側から見た斜視図である。
【図６】図６は同シューソールを示す底面図である。
【００３０】図１、図２、図４および図５において、薄肉部には粗い大きなドット模様を付している。図６のシューソールの底面において露出する強化装置の部分には密で小さいドット模様を付している。【００３１】
【図７】図７は本発明の実施例２に係るミッドソールおよび強化装置を示す底面図である。
【図８】図８は一部を破断して示す同拡大底面図である。
【図９】図９Ａは同外側面図、図９Ｂは同内側面図である。
【図１０】図１０は同ミッドソールおよび強化装置を斜め前方の内足側から見た斜視図である。
【図１１】図１１は同斜め後方の外足側から見た斜視図である。
【図１２】図１２は同シューソールを示す底面図である。
【００３２】図７、図８、図１０および図１１において、薄肉部には粗い大きなドット模様を付している。図１２のシューソールの底面において露出する強化装置の部分には密で小さいドット模様を付している。【００３３】
【図１３】図１３Ａおよび図１３Ｂは、それぞれ、実施例３および４に係る強化装置付きのミッドソールの一部を示す底面図である。
【図１４】図１４は実施例５に係る強化装置付きのミッドソールの一部を示す底面図である。
【図１５】図１５は同シューソールを示す底面図である。
【図１６】図１６（ａ）〜（ｄ）は、それぞれ、強化装置の他の例を示す強化装置付きのミッドソールの底面図である。
【図１７】図１７の（ａ）、（ｂ）および（ｃ）は、それぞれ、強化装置付きのミッドソールの更に他の例を示す外側面図、底面図および内側面図、図１７（ｄ）および（ｅ）は、それぞれ、更に他の例を示す外側面図および底面図である。
【図１８】図１８（ａ）および（ｂ）は、それぞれ、内ネジレの変形状態および背屈時の変形状態を示すミッドソールを斜め上方の内側から見た斜視図である。
【００３４】図１３Ａおよび図１３Ｂにおいて、薄肉部には粗い大きなドット模様が付され、厚肉部には密で小さなドット模様が付されている。【００３５】図１４において、薄肉部には粗い大きなドット模様が付されている。図１５において、ソールの底面において露出する強化装置の部分には密で小さなドット模様が付されている。図１６および図１７において強化装置にはドット模様が付されている。
【発明を実施するための形態】
【００３６】  好ましくは、前記強化装置１は前記中足部３０の前記外足縁部３Ｌにおいて前後方向Ｙに延びる第２縦部２２を前記第１バー１１に対し継目なく一体に有し、  前記第１バー１１は前記第１縦部２１の前記後端部２１Ｒと前記第２縦部２２の前端部２２Ｆとを連結して、前記第１縦部２１の前記後端部２１Ｒから前記第２縦部２２の前記前端部２２Ｆまで斜め前方Ｙ１の外足側Ｌに向って延び、  前記第２バーは前記第１バー１１の前方Ｙ１に配置されている。
【００３７】  この場合、中足部３０の内足縁部３Ｍに第１縦部２１が設けられているだけでなく、外足縁部３Ｌにおいて前後方向Ｙに延びる第２縦部２２が設けられている。そのため、ソールの曲げ剛性が大きく、前記背屈時の曲げ荷重が大きい場合に前記背屈時の足からソールへの力伝達のロスが小さくなるであろう。
【００３８】一方、斜め前方Ｙ１に延びる第１バー１１が第１縦部２１と第２縦部２２に連結されている。そのため、第１バー１１自体の前記内ネジレの剛性が増大する。したがって、内ネジレの中心軸の位置が第１バー１１に近づき、この中心軸を中心として安定した内ネジレの現象を呈するであろう。
【００３９】このように、第１バー１１自体の内ネジレの剛性が増大しても、内ネジレの中心軸に近い位置に第１バー１１が配置されており、そのため、シューソール全体の内ネジレの剛性の低下を実現し得るであろう。
【００４０】「第２縦部２２の前端部２２Ｆ」とは、第２縦部２２を前後方向Ｙに２等分した前端側を意味し、好ましくは、第２縦部２２を前後方向Ｙに３等分した前端側の1／３の部分を意味する。また、「第１バー１１が第１縦部２１の後端部２１Ｒから第２縦部２２の前端部２２Ｆまで延び」とは、第１バー１１の後端が前記後端部２１Ｒの少なくとも一部に連接し、かつ、第１バー１１の前端が前記前端部２２Ｆの少なくとも一部に連接していることを意味する。
【００４１】好ましくは、前記強化装置１は第３バー１３を前記第１縦部２１に対し継目なく一体に有し、前記第３バー１３は前記第１バー１１と前記第２バー１２との間に配置され、前記第３バー１３は前記第１および第２バー１１、１２から前後方向Ｙに離間し、前記第１縦部２１から斜め前方Ｙ１の外足側Ｌに向って前記中央部３Ｃを斜めに横断し前記外足縁部３Ｌまで延びる。
【００４２】この場合において、互いに離間した３本のバー１１〜１３は、それぞれ、第１縦部２１から斜め前方Ｙ１の外足側Ｌに向って中央部３Ｃを斜めに横断し外足縁部３Ｌまで延びる。すなわち、３本のバー１１〜１３は内ネジレの中心軸Ｓに沿って斜めに延びている。
【００４３】各バー１１〜１３は互いに離間しているため、各バーの間のミッドソール３の部位は、強化されておらず、変形し易い。したがって、ソールの内ネジレの剛性が低下し、ミッドソール３の中足部３０が前記内ネジレの中心軸Ｓのまわりに捩じれ易くなるであろう。
【００４４】その結果、内ネジレの増大により、カッティング時等のブレーキの力積が増大し、パフォーマンスが向上することが期待できる。
【００４５】一方、バーが斜めに配置されることで、背屈に対するバーによる曲げ剛性が低下することが懸念される。しかし、本発明では前後方向Ｙに互いに離間した３本のバーが設けられていることで、曲げ剛性の低下を抑制し易いだろう。そのため、背屈時の足からソールへの力伝達のロスが小さくなるであろう。
【００４６】好ましくは、前記第１バー１１の前縁１１ｆと前記第３バー１３の後縁１３ｒとは前記強化装置１の第１切欠Ｎ１を規定し、前記第１切欠Ｎ１において、前記ミッドソール３の前記下面が露出し、前記第２バー１２の後縁１２ｒと前記第３バー１３の前縁１３ｆとは前記強化装置１の第２切欠Ｎ２を規定し、前記第２切欠Ｎ２において、前記ミッドソール３の前記下面が露出する。
【００４７】前記第１および第２切欠Ｎ１，Ｎ２の部位においてミッドソール３が露出しており、そのため、これらの切欠Ｎ１，Ｎ２における内ネジレの剛性が小さくなる。したがって、シューソールが捩れ易くなるであろう。
【００４８】なお、各切欠におけるミッドソール３の下面の露出について、ミッドソール３の下面３Ｓは各切欠Ｎ１，Ｎ２の少なくとも一部において露出していればよく、一部がアウトソール４で覆われていてもよい。
【００４９】好ましくは、前記第１および第２切欠Ｎ１，Ｎ２は、それぞれ、前記中央部３Ｃの少なくとも過半において斜めに延び、更に、前記中央部３Ｃから前記外足縁部３Ｌまで斜め前方に向って延びている。
【００５０】各切欠は中央部の少なくとも過半（５０％超）において斜めに延び、好ましくは、中央部の少なくとも大半（８０％以上）において斜めに延びる。各切欠は本質的に中央部を横断していればよい。このように中央部３Ｃを斜めに延びる（横断する）各切欠Ｎ１，Ｎ２は前記内ネジレの剛性を確実に低下させるだろう。したがって、捩れ易いシューソールが得られる確実性が高くなるだろう。
【００５１】なお、各切欠Ｎ１，Ｎ２が内足縁部３Ｍの少なくとも一部から外足縁部３Ｌの少なくとも一部まで延びていてもよい。
【００５２】好ましくは、前記第１および第２切欠Ｎ１，Ｎ２は帯状に形成され、かつ、互いに並行状に設けられている。
【００５３】帯状の第１および第２切欠Ｎ１，Ｎ２が互いに並行状である場合、第１切欠と第２切欠との間の第３バー１３も帯状に形成される。この帯状の第３バー１３は第１バー１１と第２バー１２との間に配置され、強化装置１の内ネジレの中心軸に近い位置に配置されるであろう。そのため、シューソールの内ネジレの変形状態が安定し、カッティング時等において、安定した内ネジレが得られるであろう。
【００５４】「帯状」とは各切欠Ｎ１，Ｎ２の幅が大きく変化していないことを意味する。「互いに並行状」とは、幾可学上の平行を含む他、第１切欠と第２切欠とが互いに離れ(parallel)ており、かつ、第１切欠Ｎ１と第２切欠Ｎ２とが互いに概ね同じ斜め前方Ｙ１に延びて（並んで）いることを意味する。
【００５５】好ましくは、前記各バーの前記中央部３Ｃにおける幅の総和が前記各切欠の前記中央部３Ｃにおける幅の総和よりも大きい。
【００５６】各バーの幅の総和が各切欠の幅の総和よりも小さい場合、内ネジレや曲げの剛性が小さくなり過ぎるおそれがある。これに対し、各バーの幅の総和が各切欠の幅の総和よりも大きい場合、大きな曲げ剛性と内ネジレの所期の剛性を得易いだろう。
【００５７】バーや切欠の幅とはバーや切欠の延びる方向に直交する方向の幅を意味する。
【００５８】好ましくは、前記各バーの前記中央部３Ｃにおける幅の平均値は前記各切欠の前記中央部３Ｃにおける幅の平均値よりも大きい。
【００５９】この場合、大きな曲げ剛性と内ネジレの所期の剛性を更に得易いだろう。また、内ネジレの変形が安定するだろう。
【００６０】「各バーの幅の平均値」とは例えばｎ本のバーの幅の総和をｎで除算した値を意味し、「各切欠の幅の平均値」とは例えばｍ個の切欠の幅の総和をｍで除算した値を意味する。
【００６１】好ましくは、前記ミッドソール３は前記下面の反対側の上面３１を有し、前記第３バー１３は前記ミッドソール３の前記上面３１に向って凸のアーチ状に形成されている。
【００６２】第１バーと第２バーとの間に配置された第３バーが上面３１に向って凸のアーチ状に形成されていることで、第３バーが細くても足のアーチの低下を抑制するであろう。
【００６３】好ましくは、前記強化装置１は、前記各バーの先端部Ｅ、前記第１縦部２１の前端部２１Ｆおよび前記第１縦部２１の後端部２１Ｒが前記ミッドソール３と前記アウトソール４とに挟まれた薄肉部１７と、前記ミッドソール３の前記下面において露出し前記薄肉部１７よりも厚い厚肉部１８とを備える。
【００６４】着用者はアウトソール４を介して路面や地面をキャッチする感触を得るのであるが、アウトソール４と足裏との間に曲げ剛性の大きい層があると、この層は前記感触を低下させるだろう。ここで、ミッドソール３とアウトソール４とに挟まれた強化装置１の部位が薄肉部１７であることにより、前記薄肉部１７は曲げ剛性が小さく、そのため、着用者の前記感触が低下しにくいであろう。
【００６５】一方、アウトソールに覆われずに露出した部位において強化装置１が十分な厚みを有していない場合、所期の曲げ剛性や内ネジレの剛性が得られないだろう。ここで、かかる露出した部位の強化装置１が厚肉部１８であることにより、前記厚肉部１８の剛性が高まり、所期の曲げ剛性や内ネジレの剛性が得易いだろう。
【００６６】好ましくは、前記厚肉部１８には、前記各バーごとに前記各バーが延びる方向に沿って延びる凸条Ｔまたは溝Ｇを有する。
【００６７】かかる凸条や溝は、各バーの曲げ剛性や内ネジレの剛性を調整するのに役立つ。
【００６８】例えば、凸条は内ネジレの剛性を然程アップさせることなく、曲げ剛性をアップさせる。一方、溝は曲げ剛性を然程低下させることなく、内ネジレの剛性を低下させる。
【００６９】好ましくは、前記第２バー１２の先端部Ｅは第１および第２縦部２１，２２から離間した自由端部である。
【００７０】この場合、第２バー１２の先端部Ｅの剛性が第１バーのそれよりも小さく、そのため、前足部における強化装置１の剛性が中足部のそれよりも小さくなるだろう。そのため、中足部の剛性アップを図りつつ、前足部の剛性アップを抑制することができる。
【００７１】好ましくは、前記アウトソール４は前足から後足まで連なっていると共に、前記ミッドソール３の中足部において切欠かれた切欠部Ｎを有し、前記切欠部Ｎにおいて前記第１縦部２１、第１バーおよび第２バー１１，１２の各々の少なくとも一部が露出している。
【００７２】アウトソールに切欠部Ｎが設けられていることで、シューソールの軽量化を図りつつ、前記切欠部Ｎにおいて強化装置１の一部が露出していることで、所期の曲げ剛性と内ネジレの剛性を得易いだろう。
【００７３】好ましくは、前記アウトソール４は前足パート４Ｆと後足パート４Ｒとして前後に互いに離間して分かれており、前記アウトソール４の前記前足パート４Ｆと後足パート４Ｒとの間において、前記第１縦部２１、第２縦部２２、前記第１バーおよび第２バー１１，１２の各々の少なくとも一部が露出している。
【００７４】アウトソールが前足パートと後足パートに分れていることで、シューソールの軽量化を図りつつ、前記前足パート４Ｆと後足パート４Ｒとの間において強化装置１の一部が露出していることで、所期の曲げ剛性と内ネジレの剛性を得易いだろう。
【００７５】好ましくは、前記第１縦部２１の前端部２１Ｆと前記第２バー１２とはＶ字状に連なっており、前記第２バー１２の先端部Ｅは前記第１縦部２１の前記前端部２１Ｆよりも前方Ｙ１に配置されている。
【００７６】第１縦部２１は内足のアーチを支えると共に、内足縁部３Ｍにおける大きな曲げ剛性とネジレ剛性を発揮する。一方、第２バー１２の先端部Ｅが第１縦部２１の前端部２１Ｆよりも前方Ｙ１に配置され外足縁部３Ｌまで延びていることにより、外足縁部３Ｌにおいても曲げ剛性を高めると共に、ネジレ剛性の制御を可能にするだろう。
【００７７】１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００７８】  本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００７９】  実施例１  以下、本発明の実施例１が図１〜図６に基づいて説明される。  なお、各実施例は球技用のシューソールである。【００８０】  図３Ａおよび図３Ｂに示すように、シューソールはゴム製のアウトソール４と樹脂製のミッドソール３および強化装置１とを備える。なお、シューソールの上には足の甲を包むアッパー（図示せず）が設けられる。【００８１】  ミッドソール３は例えばＥＶＡのような樹脂製の発泡体からなるミッドソール本体を備える。なお、「樹脂製」とは、熱可塑性等の樹脂成分を有するという意味で、任意の適宜の他の成分を含む。また、ミッドソール３には低反発材、高反発材および溝などが設けられてもよい。【００８２】  アウトソール４は前記ミッドソール本体の発泡体よりも耐摩耗性の大きい接地底で、一般に、ミッドソール本体の発泡体よりも硬度が大きい。なお、「ゴム製」とは天然ゴムや合成ゴムの成分を有するという意味で、任意の他の成分を含む。【００８３】  前記ミッドソール３の上には、図示しないインソール（中底）が接着される。なお、前記インソールの更に上にはソックライナー（中敷き）がアッパー内に装着される。【００８４】  アウトソール４は路面や地面に接する接地面４０とその反対側の上面４１とを有する。ミッドソール３は前記アウトソール４の前記上面４１に付着する下面３Ｓを有する。【００８５】  前記強化装置１は前記ミッドソール３の下面３Ｓに付着している。この強化装置１は例えば熱可塑性樹脂の非発泡体（充実体）で形成され、前記ミッドソール３およびアウトソール４よりも硬質である。【００８６】  図１において、前記ミッドソール３は前足部３Ｆ、中足部３０および後足部３Ｒを有する。また、ミッドソール３は内足縁部３Ｍと外足縁部３Ｌと前記内足縁部３Ｍと外足縁部３Ｌとの間の中央部３Ｃとを有する。【００８７】  前記強化装置１は前記中足部３０において前記内足縁部３Ｍから外足縁部３Ｌにわたって配置されている。前記強化装置１は中足部３０から前足部３Ｆの後半部や後足部３Ｒの前端に延びている。【００８８】前記強化装置１は第１〜第２縦部２１，２２と第１〜第３バー１１〜１３とを継目なく一体に有する。前記第１および第２縦部２１，２２は、それぞれ、図３Ｂおよび図３Ａの内側面部２１０および外側面部２２０を継目なく一体に有している。【００８９】前記第１縦部２１は前記中足部３０の前記内足縁部３Ｍにおいて前後方向Ｙに延びる。一方、前記第２縦部２２は前記中足部３０の前記外足縁部３Ｌにおいて前後方向Ｙに延びる。前記第１および第２縦部は、それぞれ、前記中央部３Ｃにハミだしていてもよい。【００９０】図２において、第１縦部２１の前端部２１Ｆは第２縦部２２の前端部２２Ｆよりも前方Ｙ１に配置されている。また、第１縦部２１の後端部２１Ｒは第２縦部２２の後端部２２Ｒよりも前方Ｙ１に配置されている。第１縦部２１の前後方向Ｙの長さは第２縦部２２の前後方向Ｙの長さよりも長い。【００９１】図２および図３Ｂに示すように、前記内側面部２１０は前記第１縦部２１から前記ミッドソール３の内側面に沿って巻上っている。一方、図２および図３Ａに示すように、前記外側面部２２０は、前記第２縦部２２から前記ミッドソール３の外側面に沿って巻上っている。【００９２】図３Ａの前記外側面部２２０は前記第２縦部２２の後端部２２Ｒよりも後方に延びていてもよい。また、内側面部２１０および外側面部２２０は、前後方向Ｙに連続的に延びていてもよいが、第１縦部２１または第２縦部２２からミッドソール３の側面に沿って櫛歯状に延びていてもよい。【００９３】前記内側面部２１０および外側面部２２０は、それぞれ、第１縦部２１および第２縦部２２の一部であると把握してもよいし、第１縦部２１および第２縦部２２に連なっていると把握してもよい。【００９４】図２において、前記第１バー１１は前記第１縦部２１の後端部２１Ｒから斜め前方Ｙ１の外足側Ｌに向って前記中央部３Ｃを斜めに横断し前記外足縁部３Ｌまで延びる。本例の場合、前記第１バー１１は前記第１縦部２１の前記後端部２１Ｒと前記第２縦部２２の前端部２２Ｆとを連結している。すなわち、前記第１バー１１は、前記第１縦部２１の前記後端部２１Ｒから前記第２縦部２２の前記前端部２２Ｆまで斜め前方Ｙ１の外足側Ｌに向って延びる。【００９５】図２において、前記第２バー１２は前記第１バー１１の前方Ｙ１に配置されている。前記第２バー１２は前記第１バー１１から離間して配置されている。この第２バー１２は前記第１縦部２１の前記後端部２１Ｒよりも前方Ｙ１の位置から斜め前方の外足側Ｌに向って前記中央部３Ｃを斜めに横断し前記外足縁部３Ｌまで延びる。【００９６】  図２において、前記第３バー１３は前記第１バー１１と前記第２バー１２との間に配置されている。前記第３バー１３は前記第１および第２バー１１，１２から前後方向Ｙに離間している。この第３バー１３は、前記第１縦部２１から斜め前方Ｙ１の外足側Ｌに向って前記中央部３Ｃを斜めに横断し前記外足縁部３Ｌまで延びる。【００９７】  図５に示すように、前記第１〜第３バー１１〜１３は、前記内ネジレの中心軸Ｓに沿って斜め方向に延びている。【００９８】  図２において、前記第１縦部２１の前端部２１Ｆと前記第２バー１２とはＶ字状に連なっている。前記第２バー１２の先端部Ｅは前記第１縦部２１の前記前端部２１Ｆよりも前方Ｙ１に配置されている。【００９９】  前記第２バー１２および第３バー１３の各先端部Ｅは第１および第２縦部２１，２２から離間した自由端部である。【０１００】  図３Ａおよび図３Ｂにおいて、前記ミッドソール３は前記下面３Ｓの反対側の上面３１を有する。図５の前記第３バー１３は前記ミッドソール３の前記上面３１に向って凸のアーチ状に形成されている。なお、第１バー１１も前記上面３１に向って凸のアーチ状に形成されていてもよい。【０１０１】  図２において、前記第１バー１１の前縁１１ｆと前記第３バー１３の後縁１３ｒとは前後方向Ｙに互いに離間しており、前記強化装置１の第１切欠Ｎ１を規定する。前記第１切欠Ｎ１において、前記ミッドソール３の前記下面３Ｓが露出する。【０１０２】  前記第２バー１２の後縁１２ｒと前記第３バー１３の前縁１３ｆとは前後方向Ｙに互いに離間しており、前記強化装置１の第２切欠Ｎ２を規定する。前記第２切欠Ｎ２において、前記ミッドソール３の前記下面３Ｓが露出する。【０１０３】  図２において、前記第１および第２切欠Ｎ１，Ｎ２は、それぞれ、前記内足縁部３Ｍから前記中央部３Ｃを斜めに横断し前記外足縁部３Ｌまで斜め前方に向って延びている。また、前記第１および第２切欠Ｎ１，Ｎ２は、それぞれ、帯状に形成され、かつ、互いに並行状に設けられている。【０１０４】  図４および図５に示すように、前記強化装置１は薄肉部１７および厚肉部１８を有する。厚肉部１８は薄肉部１７よりも厚い。【０１０５】  図６において、前記アウトソール４は前足パート４Ｆと後足パート４Ｒに前後に分かれている。前記アウトソール４の前記前足パート４Ｆと後足パート４Ｒとの間において、前記第１縦部２１、第２縦部２２、前記第１バー〜第３バー１１〜１３の各々の一部が露出している。前記各第１〜第３バー１１〜１３および第１縦部の前端部２１Ｆの薄肉部（図２）は前記ミッドソール３と前記アウトソール４の前足パート４Ｆとの間に挟まれている。一方、前記第１および第２縦部の各後端部２１Ｒ，２２Ｒの薄肉部（図２）は前記ミッドソール３と前記アウトソール４の後足パート４Ｒとの間に挟まれている。【０１０６】  前記厚肉部１８は前記前足パート４Ｆと後足パート４Ｒとの間において露出した部位である。すなわち、厚肉部１８はミッドソール３の下面３Ｓにおいて露出する。【０１０７】  前記厚肉部１８は、前記各縦部２１，２２の中間部２１Ｃ、２２Ｃと、前記第１〜第３バー１１〜１３における前記中央部３Ｃに配置された部分とを包含する。【０１０８】  図４および図５において、前記厚肉部１８には、前記各バーごとに前記各バーが延びる方向に沿って延びる凸条Ｔを有する。  なお、前記凸条Ｔの延びる方向に沿って、アウトソール４に溝を設けてもよい。【０１０９】  前記前足パート４Ｆおよび後足パート４Ｒが設けられていないミッドソール３の部位の過半は中足部３０を構成する。【０１１０】  図６において、仮想の第１ラインＬ１は前足パート４Ｆの内足側の後端と外足側の後端とを結んだラインである。一方、仮想の第２ラインＬ２は後足パート４Ｒの内足側の前端と外足側の前端とを結んだラインである。【０１１１】前記仮想の第１ラインＬ１と仮想の第２ラインＬ２との間のミッドソール３の部位は、本質的に接地することがなく、前記中足部３０を構成する。【０１１２】  図６の破線で示すように、前記薄肉部１７はミッドソール３とアウトソール４との間に挟まれている。すなわち、薄肉部１７は第１バー１１の前縁部、前記各バーの先端部Ｅ、前記第１縦部２１の前端部２１Ｆ、前記第１縦部２１の後端部２１Ｒおよび第２縦部２２の後端部２２Ｒを包含する。【０１１３】図６において、符号Ｗ１〜Ｗ３はそれぞれ第１〜第３バー１１〜１３の中央部３Ｃにおける幅の平均値を示す。一方、符号Δ１およびΔ２はそれぞれ第１および第２切欠Ｎ１，Ｎ２の中央部３Ｃにおける幅の平均値を示す���なお、本例において、各バー１１〜１３の中央部３Ｃに配置された部位は露出している。【０１１４】  本例において、前記各バーの前記中央部３Ｃにおける幅の総和（Ｗ１＋Ｗ２＋Ｗ３）は前記各切欠の前記中央部３Ｃにおける幅の総和（Δ１＋Δ２）よりも大きい。  また、前記各バーの前記中央部３Ｃにおける幅の平均値（（Ｗ１＋Ｗ２＋Ｗ３）／３）は前記各切欠の前記中央部３Ｃにおける幅の平均値（（Δ１＋Δ２）／２）よりも大きい。【０１１５】  図５において、カッティング時等にミッドソール３が内ネジレの中心軸Ｓのまわりに矢印Ａｓのように内ネジレを呈すると、第１切欠Ｎ１および第２切欠Ｎ２の部位の剛性が小さいため、外足側Ｌのミッドソール３の部位が捩れ易い。そのため、ブレーキの力積が増大するだろう。【０１１６】一方、第１および第２縦部２１，２２や第１〜第３バー１１〜１３は図１８（ｂ）の背屈時には梁として機能し、そのため、足からソールへの力伝達のロスが小さくなるであろう。【０１１７】つぎに、本発明者らが行った実験について簡単に説明する。【０１１８】まず、実験に用いるシューズとして試験例１と比較例２および３を用意した。試験例１のシューズは前記実施例１の強化装置１を備える。比較例１のシューズは、いわゆるＮ型の強化装置１を備える。比較例２のシューズは、中足部の概ね全域を覆う強化装置１を備える。【０１１９】これらのシューズを着用しカッティング動作時のソールの変形量とカッティング直後の走行速度を測定した。実験の結果、試験例１のシューズの場合、各比較例に比べ大きなネジレ（変形）を生じ、かつ、早い速度で走行できていることが確認された。【０１２０】図７〜図１２は実施例２を示す。以下の実施例２は実施例１と相違する部分について主に説明される。【０１２１】図１２において、前記アウトソール４は前足から後足まで連なっていると共に、前記ミッドソール３の中足部３０において切欠かれた切欠部Ｎを有する。前記切欠部Ｎにおいて前記第１縦部２１、第１バーおよび第２バー１１，１２の少なくとも一部が露出している。なお、本例において切欠部Ｎは後足部３Ｒの中央部３Ｃに延びている。アウトソール４は中足部３０の外足縁部３Ｌにおいて前後方向Ｙに連なっており、一方、中足部３０の内足縁部３Ｍにおいて前後方向Ｙに離間しており、略Ｃ字状に形成されている。【０１２２】図１２において、仮想の第１ラインＬ１は切欠部Ｎの内足側の前端に接するラインである。仮想の第２ラインＬ２は切欠部Ｎの内足側の後端に接するラインである。前記２つのラインＬ１，Ｌ２の間の領域は、ミッドソール３が本質的に（平坦な路面においては）接地しない中足部３０を構成する。なお、中足部３０においては、図９Ａのように外足側のアウトソール４も無負荷の状態では本質的に接地しない。【０１２３】図８において、本例の第２縦部２２は実施例１のそれに比べ前後方向Ｙに短い。すなわち、第２縦部２２の前端部２２Ｆは第１縦部２１の前端部２１Ｆよりも後方に配置され、かつ、第２縦部２２の後端部２２Ｒは第１縦部２１の後端部２１Ｒよりも前方に配置されている。【０１２４】図１０および図１１に示すように、各バー１１〜１３には厚肉部１８に溝Ｇが各バー１１〜１３が延び��方向に沿って設けられている。なお、図７の各バー１１〜１３の傾きは、図１の実施例１のそれよりも横方向に近い。【０１２５】図７〜図１１に示すように、第２縦部２２は全体が薄肉部１７で形成されている。また、図８に示すように、第２縦部２２の全て、第１〜第３バー１１〜１３の各先端部Ｅ、第１縦部２１の前端部２１Ｆおよび第１縦部２１の後端部２１Ｒは薄肉部１７を形成しており、図１２に示すように、これらの部分はアウトソール４とミッドソール３とで挟まれている。【０１２６】図１３Ａおよび図１３Ｂは、それぞれ、図１および図７の前記第３バーを図１３Ａおよび図１３Ｂの前記第１バー１１に一体に形成した構造である。第２バー１２の後縁１２ｒと第１バー１１の前縁１１ｆとの間に第１切欠Ｎ１が規定されている。なお、第１バー１１内に別の切欠（図示せず）が設けられてもよい。【０１２７】図１４および図１５はバーが４本である場合を示す。この例においては、第１〜第４バー１１〜１４が互いに並行状に設けられている。一方、第１〜第３切欠Ｎ１〜Ｎ３が互いに並行状に設けられている。なお、本実施例のその他の構造は実施例１と同様である。【０１２８】図１６および図１７は、更に他の例を示す。【０１２９】図１６（ａ）に示すように、第１切欠Ｎ１と第２切欠Ｎ２の幅は互いに相違していてもよい。図１６（ｂ）に示すように、各バー１１〜１３の延びる方向は若干異なっていてもよい。図１６（ｃ）に示すように、各バー１１〜１３（例えば第２および第３バー１２，１３）に第１切欠Ｎ１および第２切欠Ｎ２とは別の切欠が設けられていてもよい。図１６（ｄ）に示すように、第２縦部２２は設けられていなくてもよい。【０１３０】図１７（ａ）〜（ｃ）に示すように、第２バー１２、第３バー１３、第１縦部２１、第２縦部２２は、ミッドソール３の側面の巻き上げに連なっていてもよい。【０１３１】図１７（ｄ）および（ｅ）に示すように、第２バー１２、第３バー１３および第２縦部２２は、ミッドソール３の側面の巻き上げにおいて前後方向に互いに連なっていてもよい。【０１３２】以上のとおり、図面を参照しながら好適な実施例を説明したが、当業者であれば、本明細書を見て、自明な範囲内で種々の変更および修正を容易に想定するであろう。たとえば、ミッドソールにはゲルや鞘様の緩衝パーツが設けられていてもよい。また、溝はアウトソールのみで形成されていてもよい。また、バーの数は２〜４本ではなく、５本以上設けられていてもよい。したがって、そのような変更および修正は、本発明の範囲内のものと解釈される。
【産業上の利用可能性】
【０１３３】本発明は球技の他トレーニング、フィットネス、コート競技など種々の運動靴に適用できる。
【符号の説明】
【０１３４】１：強化装置  １１：第１バー  １２：第２バー  １３：第３バー  １４：第４バー１１ｆ〜１３ｆ：前縁  １１ｒ〜１３ｒ：後縁１７：薄肉部  １８：厚肉部２１：第１縦部  ２２：第２縦部２１Ｆ，２２Ｆ：前端部  ２１Ｒ，２２Ｒ：後端部  ２１Ｃ，２２Ｃ：中間部３：ミッドソール  ３Ｆ：前足部  ３０：中足部  ３Ｒ：後足部３Ｍ：内足縁部  ３Ｌ：外足縁部  ３Ｃ：中央部  ３１：上面  ３Ｓ：下面  ４：アウトソール  ４０：接地面  ４１：上面  ４Ｆ：前足パート  ４Ｒ：後足パートＥ：先端部  Ｌ：外足側  Ｍ：内足側Ｎ：切欠部  Ｎ１：第１切欠  Ｎ２：第２切欠  Ｇ：溝  Ｔ：凸条  Ｓ：内ネジレの中心軸  Ｓ１：背屈の中心軸  Ｙ：前後方向  Ｙ１：前方
【要約】  アウトソール（４）、ミッドソール（３）およびアウトソールよりも硬質の硬質の強化装置（１）を包含するシューソールであって、前記強化装置（１）は中足部（３０）の内足縁部（３Ｍ）において前後方向に延びる第１縦部（２１）と、互いに並行状の第１バー（１１）および第２バー（１２）とを継目なく一体に有し、第１バー（１１）が第１縦部（２１）の後端部（２１Ｒ）から斜め前方（Ｙ１）の外足側（Ｌ）に向って中央部（３Ｃ）を斜めに横断し外足縁部（３Ｌ）まで延び、第２バー（１２）が前記第１バーから離間して配置され、前記第１縦部（２１）の前記後端部（２１Ｒ）よりも前方（Ｙ１）の位置から斜め前方の外足側（Ｌ）に向って前記中央部（３Ｃ）を斜めに横断し前記外足縁部（３Ｌ）まで延びる。【図１】
0006396628.tif 000002
【図２】
0006396628.tif 000003
【図３】
0006396628.tif 000004
【図４】
0006396628.tif 000005
【図５】
0006396628.tif 000006
【図６】
0006396628.tif 000007
【図７】
0006396628.tif 000008
【図８】
0006396628.tif 000009
【図９】
0006396628.tif 000010
【図１０】
0006396628.tif 000011
【図１１】
0006396628.tif 000012
【図１２】
0006396628.tif 000013
【図１３】
0006396628.tif 000014
【図１４】
0006396628.tif 000015
【図１５】
0006396628.tif 000016
【図１６】
0006396628.tif 000017
【図１７】
0006396628.tif 000018
【図１８】
0006396628.tif 000019